(57)【要約】【課題】必要以上の電力を消費せずとも常に安定した遊技を提供可能な遊技機島を提供する。【解決手段】遊技機島のサブオーバーフロー樋に、遊技球の流れを受けて発電する発電装置を設ける。そして、この発電装置の発電機２５５から電力（単相交流）の供給を受ける送電装置３０では、インバータ３４０が、メイン貯留タンクに設置された２基のイオン発生装置に供給する交流電圧を生成して、イオン発生装置を稼働する。但し、インバータ３４０は、送電装置３０の周波数検出部３３０により検出された発電機２５５の回転子の回転周波数ｆＲの大きさに見合うように、イオン発生装置の稼働率（稼働数）を調整する。【選択図】  図４
2004255034.tif 000002
【特許請求の範囲】
【請求項１】
パチンコ遊技機にて用いられる遊技球が流れる流路を備えた遊技機島であって、
該流路のうち遊技球が自重によって流下する流路である流下経路において遊技球の流れが有するエネルギーを電力に変換する変換手段と、
電力の供給を受けて稼働し、前記流路に発生する静電気もしくは埃を除去する第１の除去手段と、
前記変換手段から得られる電力が大きい程、静電気もしくは埃の除去能力を増大するように前記第１の除去手段の稼働状態を調整する第１の調整手段と、
を備えることを特徴とする遊技機島。
【請求項２】
遊技球を貯留する貯留タンクと、
パチンコ遊技機へ遊技球を流下させる補給経路から溢れた遊技球を前記流路上に設けられた前記貯留タンクへ流下させるオーバーフロー経路と、
を備え、
前記変換手段は、前記オーバーフロー経路における遊技球の流れが有するエネルギーを電力に変換し、
前記第１の除去手段は、前記貯留タンク内に発生する静電気もしくは埃を除去することを特徴とする請求項１記載の遊技機島。
【請求項３】
パチンコ遊技機へ遊技球を流下させる補給経路と、
パチンコ遊技機から排出された遊技球を流下させる回収経路と、
該回収経路を流下してきた遊技球を前記補給経路へ循環させる循環経路と、
を備え、
前記変換手段は、前記回収経路における遊技球の流れが有するエネルギーを電力に変換し、
前記第１の除去手段は、前記補給経路に発生する静電気もしくは埃を除去することを特徴とする請求項１記載の遊技機島。
【請求項４】
前記第１の除去手段は、遊技球の周囲に存在する埃を除去するための空気清浄手段、もしくは、遊技球に帯びた静電気を中和させるイオンを生じるイオン発生手段からなることを特徴とする請求項１乃至請求項３いずれか記載の遊技機島。
【請求項５】
遊技球をパチンコ遊技機へ流下させる補給経路と、
該補給経路から溢れた遊技球を流下させるオーバーフロー経路と、
を備えた遊技機島であって、
該オーバーフロー経路における遊技球の流れが有するエネルギーを電力に変換する変換手段と、
電力の供給を受けて稼働し、前記補給経路上の遊技球に付着する空気中の水分を除去する第２の除去手段と、
前記変換手段から得られる電力が大きい程、水分の除去能力を増大するように前記第２の除去手段の稼働状態を調整する第２の調整手段と、
を備えることを特徴とする遊技機島。
【請求項６】
前記第２の除去手段は、遊技球を過熱する加熱手段、もしくは遊技球の周囲に空気の流れを生じさせる発生手段からなることを特徴とする請求項５記載の遊技機島。
【請求項７】
前記変換手段は、
前記流下経路における遊技球の流れを受けて回転する羽根車と、
該羽根車の回転を受けて発電する発電機と、
を備えることを特徴とする請求項１乃至請求項６いずれか記載の遊技機島。
【請求項８】
前記羽根車は、当該羽根車の回転方向の接線に沿って遊技球の流れを受ける接線流羽根車からなることを特徴とする請求項７記載の遊技機島。
【請求項９】
前記羽根車は、当該羽根車の回転軸に沿って遊技球の流れを受ける軸流羽根車からなることを特徴とする請求項８記載の遊技機島。
【請求項１０】
前記流下経路上に複数の前記羽根車を備え、
該羽根車の各々は、他の該羽根車が受け損ねる遊技球の流れを受けるように配置されていることを特徴とする請求項７乃至請求項９いずれか記載の遊技機島。
【請求項１１】
前記第１，２の調整手段は、
前記羽根車の回転速度を検出する回転速度検出手段を備え、
該回転速度検出手段が検出した前記羽根車の回転速度に基づいて、前記変換手段から得られる電力の大きさを判断することを特徴とする請求項７乃至請求項１０いずれか記載の遊技機島。
【発明の詳細な説明】
【０００１】
【発明の属する技術分野】
本発明は、パチンコ遊技機にて用いられる遊技球が流れる流路と、安定した遊技を提供するための電気器具とを備えた遊技機島に関する。
【０００２】
【従来の技術】
従来より、パチンコ遊技機が設置される遊技機島では、遊技機島内を流れる遊技球が静電気を帯びると、静電気による電磁ノイズや静電気に吸い寄せられる埃によって、パチンコ遊技機や遊技機島内の電子回路に不具合が生じたり、又、遊技球の表面が錆びると、遊技球の流れが滞ってしまうことが知られている。
【０００３】
このため、遊技機島には、遊技球から静電気や埃を除去するための静電気除去装置（例えば、イオン発生装置など）や埃除去装置（例えば、空気清浄装置など）、遊技球に付着する空気中の水分を除去するための水分除去装置（例えば、ヒータ熱線など）が設置され、安定した遊技を提供できるようにされている。
【０００４】
尚、このような遊技機島の構成は一般的であり、公知・公用の技術に該当するため、ここでは特に先行技術文献を開示しない。
【０００５】
【発明が解決しようとする課題】
ところで、近年、さまざまな産業分野で省エネルギー化が推し進められ、資源の有効利用が図られている。
しかし、遊技機島では、遊技の安定性が突然損なわれることがないように、上述の静電気除去装置や埃除去装置、水分除去装置を常時稼働することが多かった。つまり、常に安定した遊技を提供できるようにする一方で、必要以上の電力を消費していたのである。
【０００６】
そこで、本発明は、必要以上の電力を消費せずとも常に安定した遊技を提供可能な遊技機島を提供することを目的とする。
【０００７】
【課題を解決するための手段及び発明の効果】
上記目的を達成するためになされた請求項１記載の発明は、パチンコ遊技機にて用いられる遊技球が流れる流路を備えた遊技機島であって、該流路のうち遊技球が自重によって流下する流路である流下経路において遊技球の流れが有するエネルギーを電力に変換する変換手段と、電力の供給を受けて稼働し、流路に発生する静電気もしくは埃を除去する第１の除去手段と、変換手段から得られる電力が大きい程、静電気もしくは埃の除去能力を増大するように第１の除去手段の稼働状態を調整する第１の調整手段とを備えることを特徴とする。
【０００８】
このように構成された遊技機島では、第１の除去手段が電力の供給を受けて稼働し、流路に発生する静電気もしくは埃を除去する際に、変換手段が、流下経路における遊技球の流れが有するエネルギーを電力に変換し、第１の調整手段が、変換手段から得られる電力が大きい程、静電気もしくは埃の除去能力を増大するように第１の除去手段の稼働状態を調整する。
【０００９】
つまり、この遊技機島では、流下経路を流れる遊技球の量が多い程、変換手段から得られる電力が大きくなり、又、それに伴って、第１の除去手段の静電気除去能力もしくは埃除去能力が増大する。一方、流下経路を流れる遊技球の量が減れば、変換手段から得られる電力が小さくなり、又、それに伴って、第１の除去手段の静電気除去能力もしくは埃除去能力が低減する。
【００１０】
ところで、流路を流れる遊技球の量が多いときには、多くの遊技球が流路を構成する部材や他の遊技球と衝突したり摩擦を起こすため、流路に静電気や埃が発生し易く、又、それに伴って遊技球に埃が付着し易くなる。
即ち、この遊技機島では、多くの遊技球が流路を流れ、流路に静電気や埃が発生し易い状態にあるときに、第１の除去手段の静電気除去能力もしくは埃除去能力が増大され、又、流路を流れる遊技球の量が減り、静電気や埃が発生し難い状態にあるときに、第１の除去手段の静電気除去能力もしくは埃除去能力が低減される。
【００１１】
従って、この遊技機島によれば、常に、静電気や埃が発生する可能性の程度に見合うように第１の除去手段の稼働状態が調整されるため、必要以上に電力を消費せずとも流路に発生する静電気もしくは埃を除去できる。
尚、「静電気もしくは埃の除去能力を増大するように第１の除去手段の稼働状態を調整する」とは、第１の除去手段に相当する１乃至複数の装置の稼働レベルをそれぞれ上げたり、又、第１の除去手段に相当する複数の装置の稼働率（稼働数）を増大させることを意味する。
【００１２】
又、第１の除去手段を稼働させる電力としては、外部から遊技機島に供給される電力や、変換手段から得られる電力を用いても良いし、これらを合わせた電力を用いても良い。尚、第１の除去手段を稼働可能な電力を得られるように変換手段を構成すれば、第１の除去手段を稼働するための電力を外部から取り込む必要がなくなるため、より一層の省エネルギー化を図ることができる。
【００１３】
又、上記した「遊技球が自重によって流下する流路である流下経路」としては、例えば、遊技機島の上部からパチンコ遊技機に遊技球を補給する樋や、パチンコ遊技機から排出された遊技球を回収する樋、遊技機島の上部にて溢れた遊技球を遊技機島の下部に流す樋などが挙げられる。
【００１４】
尚、遊技機島が、遊技球を貯留する貯留タンクと、パチンコ遊技機へ遊技球を流下させる補給経路から溢れた遊技球を流路上に設けられた貯留タンクへ流下させるオーバーフロー経路とを備える場合には、請求項２記載のように、変換手段は、オーバーフロー経路における遊技球の流れが有するエネルギーを電力に変換し、第１の除去手段は、貯留タンク内に発生する静電気もしくは埃を除去することが望ましい。
【００１５】
この場合、オーバーフロー経路における遊技球の流れによって、貯留タンク内に静電気や埃が発生する可能性の程度を把握できるため、必要以上に電力を消費することなく貯留タンク内に発生する静電気もしくは埃を除去できる。
又、パチンコ遊技機へ遊技球を流下させる補給経路と、パチンコ遊技機から排出された遊技球を流下させる回収経路と、該回収経路を流下してきた遊技球を補給経路へ循環させる循環経路とを備える場合には、請求項３記載のように、変換手段は、回収経路における遊技球の流れが有するエネルギーを電力に変換し、第１の除去手段は、補給経路に発生する静電気もしくは埃を除去することが望ましい。
【００１６】
つまり、この場合、パチンコ遊技機から回収経路へ排出される遊技球の量が多い程、補給経路を流れてパチンコ遊技機へ流下する遊技球の量も必然的に増え、補給経路に静電気や埃が発生し易くなるという因果関係がある。このため、本発明の遊技機島によれば、回収経路における遊技球の流れによって、補給経路に静電気や埃が発生する可能性の程度を把握できるため、必要以上に電力を消費せずとも補給経路に発生する静電気もしくは埃を除去できる。
【００１７】
ここで、第１の除去手段としては、例えば、請求項４記載のように、遊技球の周囲に存在する埃を除去するための空気清浄手段や、遊技球に帯びた静電気を中和させるイオンを生じるイオン発生手段を用いることができる。
即ち、空気清浄手段を用いた場合には、遊技球の周囲に存在する埃を除去できるため、遊技球に多くの埃が付着することがない。つまり、遊技機島内（特に遊技球の流路）に埃が拡散する度合いを低減できるため、たとえ、遊技機島内に設置されている電子回路が静電気を帯びても、多くの埃が付着することがなく、埃の付着に起因して電子回路に不具合が生じる割合を低減できる。
【００１８】
又、イオン発生手段を用いた場合には、遊技球に帯びた静電気を中和させるイオン（つまり、静電気の極性とは逆の極性を持つイオン）によって、静電気を中和することができる。
次に、請求項１記載の発明と同様、上記目的を達成するためになされた請求項５記載の発明は、遊技球をパチンコ遊技機へ流下させる補給経路と、該補給経路から溢れた遊技球を流下させるオーバーフロー経路とを備えた遊技機島であって、該オーバーフロー経路における遊技球の流れが有するエネルギーを電力に変換する変換手段と、電力の供給を受けて稼働し、補給経路上の遊技球に付着する空気中の水分を除去する第２の除去手段と、変換手段から得られる電力が大きい程、水分の除去能力を増大するように第２の除去手段の稼働状態を調整する第２の調整手段とを備えることを特徴とする。
【００１９】
このように構成された遊技機島では、第２の除去手段が電力の供給を受けて稼働し、補給経路上の遊技球に付着する空気中の水分を除去する際に、変換手段が、流下経路における遊技球の流れが有するエネルギーを電力に変換し、第２の調整手段が、変換手段から得られる電力が大きい程、水分の除去量を増大するように第２の除去手段の稼働状態を調整する。
【００２０】
つまり、この遊技機島では、補給経路に遊技球が滞留した結果、オーバーフロー経路に多くの遊技球が流下すると、変換手段から得られる電力が大きくなり、又、それに伴って、第２の除去手段の水分除去能力が増大する。一方、パチンコ遊技機の使用率が高まり、補給経路に遊技球が滞留しなくなってくると、変換手段から得られる電力が小さくなり、又、それに伴って、第２の除去手段の水分除去能力が低減する。
【００２１】
ところで、遊技機島に設置されたパチンコ遊技機の使用率が低く、補給経路に遊技球が滞留していると、遊技球に空気中の水分が付着し易い。
即ち、この遊技機島では、遊技球が補給経路に滞留し、水分が付着し易い状態にあるときに、第２の除去手段の水分除去能力が増大され、又、遊技球が補給経路を順調に流下し、水分が付着し難い状態であるときに、第２の除去手段の水分除去能力が低減される。
【００２２】
従って、この遊技機島によれば、常に、補給経路における遊技球の流れの効率に見合うように第２の除去手段の稼働状態が調整されるため、必要以上に電力を消費せずとも遊技球に付着する空気中の水分を除去できる。
尚、「水分の除去能力を増大するように第２の除去手段の稼働状態を調整する」とは、第２の除去手段に相当する１乃至複数の装置の稼働レベルをそれぞれ上げたり、又、第２の除去手段に相当する複数の装置の稼働率（稼働数）を増大させることを意味する。
【００２３】
又、第２の除去手段を稼働させる電力としては、外部から遊技機島に供給される電力や、変換手段から得られる電力を用いても良いし、これらを合わせた電力を用いても良い。尚、請求項１記載の発明と同様、第２の除去手段を稼働可能な電力を得られるように変換手段を構成すれば、第２の除去手段を稼働するための電力を外部から取り込む必要がなくなるため、より一層の省エネルギー化を図ることができる。
【００２４】
尚、第２の除去手段としては、例えば、請求項６記載のように、遊技球を過熱する加熱手段や、遊技球の周囲に空気の流れを生じさせる発生手段を用いることができる。
即ち、加熱手段を用いた場合には、遊技球に付着する水分を熱によって蒸発させ、遊技球に付着する水分を除去できる。又、発生手段を用いた場合には、遊技球の周囲に空気の流れを生じることによって遊技球の表面を乾燥させ、遊技球に付着する水分を除去できる。
【００２５】
ここで、上記したいずれの変換手段も、例えば、請求項７記載のように、流下経路における遊技球の流れを受けて回転する羽根車と、該羽根車の回転を受けて発電する発電機とを備えていても良い。
即ち、流下経路における遊技球の流れが有するエネルギーを羽根車の回転エネルギーに変換したのち、この回転エネルギーを発電機にて電力に変換するのである。
【００２６】
尚、羽根車は、例えば、請求項８記載のように、当該羽根車の回転方向の接線に沿って遊技球の流れを受ける接線流羽根車からなっていても良い。
この場合、羽根車は、遊技球の流れが有する運動エネルギーによって回転するため、落差が大きく遊技球の流れが速い流下経路において電力を得るのに好適である。
【００２７】
又、羽根車は、例えば、請求項９記載のように、当該羽根車の回転軸に沿って遊技球の流れを受ける軸流羽根車からなっていても良い。
この場合、羽根車は、遊技球の流れが有する圧力エネルギーによって回転するため、落差が小さく遊技球の流れが緩やかな流下経路において電力を得るのに好適である。
【００２８】
ここで、流下経路上に複数の羽根車を備える場合には、請求項１０記載のように、羽根車の各々は、他の羽根車が受け損ねる遊技球の流れを受けるように配置されることが望ましい。
このように複数の羽根車を配置すれば、遊技球の流れが有するエネルギーを無駄なく電力に変換することができるため、当該変換手段にて得た電力を第１の除去手段や第２の除去手段に供給する場合に好適である。
【００２９】
尚、この場合、複数の羽根車は、各々が遊技球の流れの方向に沿って順に配置されても良いし、遊技球の流れの方向と交わる方向に沿って配置されても良い。
ところで、請求項７乃至請求項１０いずれか記載の変換手段を用いる場合、第１，２の調整手段は、例えば、請求項１１記載のように、羽根車の回転速度を検出する回転速度検出手段を備え、該回転速度検出手段が検出した羽根車の回転速度に基づいて、変換手段から得られる電力の大きさを判断するように設定されていると良い。
【００３０】
即ち、変換手段から得られる電力は、羽根車の回転速度に応じて変動するため、羽根車の回転速度と変換手段から得られる電力の大きさとを予め対応させておけば、変換手段から得られる電力の大きさを羽根車の回転速度から判断できるのである。
【００３１】
【発明の実施の形態】
以下に本発明の実施形態を図面と共に説明する。
まず、図５は、本発明に係る遊技機島１の外観を示す正面図であり、図６は、遊技機島１の内部構造図である。尚、遊技機島１では、本発明に係る部分以外は、周知の完全独立還元方式の遊技機島（例えば、特許第２５７６４２０号公報を参照。）と同様に構成されている。従って、ここでは、本発明に係る部分のみを詳述し、遊技機島１の構成については略述する。
【００３２】
図５に示すように、遊技機島１は、水平方向に長い直方体状の本体２を備え、この本体２には、その長手方向に沿って複数のパチンコ遊技機（以下、単に「パチンコ機」という。）３が並列に設置されている。尚、長手方向の中央付近には、遊技者がパチンコ機３から賞品として獲得した遊技球（賞球）を返却した際に、返却された賞球の数を計量し、その数を記録したレシートを発行する計数器４がパチンコ機３に隣接して設置されている。
【００３３】
そして、長手方向の中央上部には、各パチンコ機３に供給する遊技球を一時貯留する直方体状の上部タンク５が設けられている。
更に、長手方向の両端上部にはそれぞれ、各パチンコ機３の上方に設置された呼出ランプ９のいずれかが遊技場内の係員を呼び出すために点灯されると、これに合わせて点灯し、当該遊技機島１で遊技している遊技者のいずれかが係員を呼んでいる旨を遊技場内において広範囲に報知するトップランプ６が設置されている。
【００３４】
次に、図６に示すように、本体２は、当該本体２の長手方向に沿って、パチンコ機３を収納するための空間Ｓ１や、計数器４を収納するための空間Ｓ２がそれぞれ、横桟７及び縦桟８などの部材によって形成されている。
そして、空間Ｓ１，Ｓ２の上方に形成された空間Ｓ３には、上部タンク５内の遊技球をパチンコ機３へ流下させる補給樋１０，１１が設けられている。尚、補給樋１０，１１はそれぞれ、上部タンク５の内部から当該本体２の図中左端部や右端部にかけて下方に傾斜した状態で設けられ、その上流側の所定部位には、本発明の加熱手段に相当する複数のヒータ熱線（図示せず）が取り付けられている。つまり、これらヒータ熱線により当該補給樋１０，１１の上流側を温めて、当該補給樋１０，１１を流れる遊技球に付着した空気中の水分を除去するようにされている。ところで、これらヒータ熱線の代わりに、本発明の発生手段に相当する複数の換気ファン（図示せず）を空間Ｓ３に設置し（但し、補給樋１０，１１付近が望ましい。）、補給樋１０，１１を流れる遊技球の周囲に空気の流れを生じることによって遊技球の表面を乾燥させて遊技球に付着した空気中の水分を除去するようにしても良い。
【００３５】
つまり、上述したヒータ熱線や換気ファンは、遊技球に付着した空気中の水分を除去するだけでなく、結果として、空気中の水分が遊技球に付着するのを防止する役割も果たしている。
又、空間Ｓ３には、これら補給樋１０，１１の他、外部から供給される三相交流を二相交流に変換する電源ボックス１２や、該電源ボックス１２から二相交流の各相をそれぞれ取り込み、その電圧をパチンコ機３の電源電圧（２４Ｖ）に降圧して各パチンコ機３に供給する変圧器１３，１４などが設置されている。尚、電源ボックス１２は、後述する揚送装置２１や呼出ランプ９などにも電力を供給するように設定されている。
【００３６】
又、空間Ｓ１，Ｓ２の下方に形成された空間Ｓ４には、主にパチンコ機３から排出された遊技球を回収するための回収樋１６，１７や、主に計数器４から排出された遊技球や後述するメインオーバーフロー樋２３を流下してきた遊技球を貯留するためのメイン貯留タンク１８、主に後述するサブオーバーフロー樋２４を流下してきた遊技球を貯留するためのサブ貯留タンク１９などが設けられている。尚、回収樋１６，１７はそれぞれ、当該本体２の図中左端部や右端部から当該本体２の中央に向けて下方に傾斜した状態で設けられている。そして、回収樋１７は、メイン貯留タンク１８へ導かれている一方、回収樋１６は、サブ貯留タンク１９に導かれている。更に、サブ貯留タンク１９に貯留された遊技球は、メイン貯留タンク１８に導かれるようにされている。
【００３７】
ここで、これら貯留タンクの内部にはそれぞれ、本発明のイオン発生手段に相当し、これら貯留タンク内にて遊技球に帯びた静電気を中和するイオン発生装置（図示せず）が複数（本実施形態では２基づつ）設置されている。但し、これらイオン発生装置は、交流電力の供給を受けて稼働するように設定されている。
【００３８】
そして、本体２における長手方向の中央には、メイン貯留タンク１８から遊技球を取り込み、研磨しながら上部タンク５へ揚送する揚送装置２１が設置されている。又、上部タンク５の下方には、揚送装置２１によって上部タンク５に揚送された遊技球のうち上部タンク５から溢れた遊技球をメイン貯留タンク１８及びサブ貯留タンク１９に分配する分岐箱２２が設けられている。尚、分岐箱２２にて分配された遊技球は、分配箱２２からメイン貯留タンク１８に至るメインオーバーフロー樋２３や、分配箱２２からサブ貯留タンク１９に至るサブオーバーフロー樋２４を通って、メイン貯留タンク１８やサブ貯留タンク１９へ流下するようにされている。
【００３９】
ここで、本実施形態の分岐箱２２は、上部タンク５から流下してきた遊技球を予め設定された比率にてメイン貯留タンク１８及びサブ貯留タンク１９へ分配するように設定されている（例えば、流下してきた遊技球の８割をメイン貯留タンク１８へ分配し、２割をサブ貯留タンク１９へ分配するように設定。）。
【００４０】
又、本実施形態のサブオーバーフロー樋２４には、本発明の変換手段に相当する発電装置２５，２６が、遊技球の流れの方向に沿って順に設置されており、当該サブオーバーフロー樋２４における遊技球の流れが有するエネルギーを電力に変換するようにされている（図７参照）。但し、発電装置２６は、サブオーバーフロー樋２４を軸にして発電装置２５に対して左方向に９０°回転させた状態で設置されている。
【００４１】
以下、発電装置２５，２６について詳述する。但し、発電装置２５，２６は、全く同様に構成されているため、ここでは、発電装置２５のみを図１〜図３に示して、その説明を行い、発電装置２６の説明も兼ねることとする。
まず、図１は、発電装置２５の外観を示す斜視図である。
【００４２】
図１に示すように、発電装置２５は、サブオーバーフロー樋２４を流下してくる遊技球を通過させる円筒状の流路部２５１を備えている。但し、この流路部２５１は、サブオーバーフロー樋２４に介挿されるため、サブオーバーフロー樋２４の径とほぼ同じ大きさの径を有するように設定されている。
【００４３】
そして、流路部２５１には、当該流路部２５１を挟んで対向するように、当該流路部２５１と同じ高さを有した柱状の腕部２５２，２５３が当該流路部２５１の外周壁に一体に設けられている。尚、腕部２５２において、図中手前側の側壁には、直方体状の外形を有するギアボックス２５４と、直方体状の外形を有する発電機２５５とを備えた電力生成装置２５６が設けられている。又、流路部２５１における図中奥側の外周壁には、厚みの薄い直方体状の外形を有する機構収納部２５７が一体に設けられている。
【００４４】
次に、図２は、図１における上方から発電装置２５を見下ろした場合の発電機２５の内部構造図であり、図３は、図１における矢視Ａから見た場合の発電装置２５の透視図である。
図２，３に示すように、腕部２５２，２５３は、流路部２５１の内部（つまり、遊技球の流路）に連通した中空状にされており、その内部には、遊技球を受けるためのバケット状の羽根を４つ備えた羽根車２５８，２５９がそれぞれ設置されている。尚、これら羽根車２５８、２５９は、回転方向の接線に沿って遊技球の流れを受ける接線流羽根車からなり、流路部２５１の内部に突出した羽根が遊技球から受けた衝撃（つまり、遊技球の流れが有する運動エネルギー）によって回転するようにされている（尚、図２において、羽根車２５８の羽根は、羽根車２５９の羽根よりも小さく描かれているが、これは、羽根車２５９の羽根が水平ではなく、傾いた状態であることを示しているだけに過ぎず、羽根車２５８、２５９は全く同様に構成されている。）。但し、羽根車２５８，２５９における羽根の各々には、その両面に、遊技球から受ける衝撃を吸収するための衝撃吸収材（本実施形態ではウレタン）が装着されている（図示せず）。
【００４５】
そして、羽根車２５８の回転軸２６０は、一端がギアボックス２５４に収納されている一方、他端が機構収納部２５７内に収納されている。又、羽根車２５９の回転軸２６１は、一端が腕部２５３の内壁に回転可能に枢支されている一方、他端が機構収納部２５７に収納されている。
【００４６】
尚、機構収納部２５７内において、回転軸２６０には、プーリ２６２が連結されている。又、回転軸２６１には、歯車２６５が連結されている。ここで、歯車２６５は、当該歯車２６５と全く同様に構成された歯車２６４に噛み合わされている。又、歯車２６４は、プーリ２６２と全く同様に構成されたプーリ２６３と共に、機能収納部２５７内に設置された回転軸２６６に軸支されている。そして、プーリ２６２、２６３には、無端ベルト２６７が架けられている。即ち、羽根車２５８，２５９は、機構収納部２５７に収納された上記機構によって、互いが受けた衝撃により逆方向に同期回転するようにされている。但し、羽根車２５８，２５９は、互いの羽根が同時に流路部２５１内に突出して遊技球の流れを大きく阻害しないように、所定の大きさ（例えば、４５°）の位相差を有して回転するようにされている。
【００４７】
一方、ギアボックス２５４には、回転軸２６０の回転力を発電機２５６の回転子に伝達しつつ、発電機２５６の回転子を回転軸２６０よりも速く回転させる増速ギア（図示せず）が収納されている。そして、発電機２５５は、当該発電機２５５の回転子が回転することによって単相交流を生成し、この単相交流を１対のリード線２７０，２７１を介して送電装置３０（図４参照）へ出力するようにされている。尚、送電装置３０は、遊技機島１における所定の部位（本実施形態では、サブオーバーフロー樋２４の近傍）に設置されている。
【００４８】
ここで、図４は、送電装置３０の機能ブロック図である。
図４に示すように、送電装置３０は、発電機２５５から供給される単相交流を直流に変換するコンバータ３１０と、コンバータ３１０から供給される直流電力を充電する充電部３２０と、発電機２５５から供給される単相交流の周波数（即ち、発電機２５５の回転子の回転周波数ｆＲ）を検出する周波数検出部３３０と、充電部３２０から供給される直流電圧からイオン発生装置を稼働するための交流電圧を生成するインバータ３４０とを備えている。
【００４９】
尚、充電部３２０には、大きな容量のコンデンサＣ１が接続されており、コンバータ３１０から供給される直流電力をコンデンサＣ１に充電することによって、大きさの安定した直流電圧をインバータ３４０に供給できるようにされている。
【００５０】
又、インバータ３４０は、生成した交流電圧を出力電圧Ｖ１，Ｖ２として、メイン貯留タンク１８内の各イオン発生装置にそれぞれ出力するようにされている。但し、インバータ３４０には、周波数検出部３３０により検出された発電機２５５の回転子の回転周波数ｆＲに対して、２つの閾値ｆ１，ｆ２（ｆ２＞ｆ１）が設定されている。そして、回転周波数ｆＲが閾値ｆ１よりも小さい場合には、作動しない（つまり、交流電圧を生成しない）ようにされ、又、回転周波数ｆＲが閾値ｆ１以上且つ閾値ｆ２未満である場合には、生成した交流電圧を出力電圧Ｖ１，Ｖ２として予め設定されたタイミングで交互に出力するようにされている。又、回転周波数ｆＲが閾値ｆ２以上である場合には、生成した交流電圧を出力電圧Ｖ１，Ｖ２の双方として同時に出力するようにされている。
【００５１】
尚、閾値ｆ１は、発電機２５５が１基のイオン発生装置を稼働するのに最低限必要な電力を生成可能な周波数に設定されている。そして、閾値ｆ２は、発電機２５５が２基のイオン発生装置を同時に稼働するのに最低限必要な電力を生成可能な周波数に設定されている。
【００５２】
即ち、送電装置３０は、本発明における第１の調整手段に相当し、発電機２５５から得られる電力が大きい程、イオン発生装置の稼働率（稼働数）を増大して、メイン貯留タンク１８及びサブ貯留タンク１９に設置されたイオン発生装置による静電気除去能力を増大している。尚、周波数検出部３３０が本発明の回転速度検出手段に相当する。
【００５３】
一方、発電装置２６にて得られた電力は、送電装置３０と全く同様に構成された他の送電装置へ供給される。そして、この送電装置によって、サブ貯留タンク１９に設置されたイオン発生装置がメイン貯留タンク１８に設置されたイオン発生装置と同様に稼働される。
【００５４】
以上のように構成された遊技機島１では、発電装置２５、２６が、サブオーバーフロー樋２４における遊技球の流れが有するエネルギーを電力に変換し、送電装置３０や、発電装置２６から電力の供給を受ける送電装置が、発電装置２５、２６からそれぞれ得られる電力が大きい程、イオン発生装置の稼働率（稼働数）を増大する。
【００５５】
つまり、この遊技機島では、サブオーバーフロー樋２４を流れる遊技球の量が多い程、発電装置２５、２６から得られる電力が大きくなり、又、それに伴って、イオン発生装置の稼働率（稼働数）が増大する。一方、サブオーバーフロー樋２４を流れる遊技球の量が減れば、発電装置２５、２６から得られる電力が小さくなり、又、それに伴って、イオン発生装置の稼働率（稼働数）が低減する。
【００５６】
尚、サブオーバーフロー樋２４を流れる遊技球の量が多いときには、メインオーバーフロー樋２３を流れる遊技球の量も多く、遊技球を貯留するメイン貯留タンク１８及びサブ貯留タンク１９の内部では静電気が発生し易い。
即ち、この遊技機島１では、サブオーバーフロー樋２４を多くの遊技球が流れ、メイン貯留タンク１８やサブ貯留タンク１９の内部で静電気が発生し易い状態にあるときに、イオン発生装置の稼働率（稼働数）が増大される。又、サブオーバーフロー樋２４を流れる遊技球の量が減り、静電気が発生し難い状態にあるときに、イオン発生装置の稼働率（稼働数）が低減される。
【００５７】
従って、この遊技機島１によれば、常に、静電気が発生する可能性の程度に見合うようにイオン発生装置の稼働率（稼働数）が調整されるため、必要以上に電力を消費せずともメイン貯留タンク１８やサブ貯留タンク１９内から静電気を除去できる。
【００５８】
又、発電装置２６は、サブオーバーフロー樋２４を軸にして発電装置２５に対して左方向に９０°回転させた状態で設置されているため、発電装置２５の羽根車が受け損ねた遊技球の流れを当該発電装置２６の羽根車が受ける。即ち、サブオーバーフロー樋２４における遊技球の流れが有するエネルギーを無駄なく電力に変換し、メイン貯留タンク１８やサブ貯留タンク１９の内部に設置されたイオン発生装置を稼働することができる。
【００５９】
ここで、本実施形態の遊技機島１では、発電装置２５，２６から得られた電力のみを用いてイオン発生装置を稼働しているため、イオン発生装置を稼働するための電力を外部から取り込む必要がなく、より一層の省エネルギー化を実現している。
【００６０】
以上、本発明の実施の形態について説明したが、本発明は、上記実施形態に何ら限定されることはなく、本発明の技術的範囲に属する限り種々の形態をとり得ることはいうまでもない。
例えば、上記実施形態では、メイン貯留タンク１８やサブ貯留タンク１９に複数のイオン発生装置を設置したが、これに代えて、供給される電力に応じて稼働レベルが変化するようなイオン発生装置を設置し、発電装置２５，２６から得られる電力に応じて、イオン発生装置の稼働レベルを調整しても良い。
【００６１】
この場合、インバータ３４０は、発電装置２５，２６から得られる電力の大きさが大きい程、イオン発生装置へ出力する交流電圧の振幅を大きくするように設定されていれば良い。
又、上記実施形態では、第１の除去手段に相当する装置として遊技球に帯びた静電気を除去するためのイオン発生装置を遊技機島１に設置したが、これに代えて、遊技球の周囲に存在する埃を除去するための空気清浄装置（本発明の空気清浄手段に相当。）を設置しても良い。この場合、遊技球の周囲に存在する埃を除去できるため、遊技球に多くの埃が付着することがない。そして、これにより、遊技機島１内（特に遊技球の流路）に埃が拡散する度合いを低減できるため、たとえ、遊技機島１内やパチンコ機３の裏側に設置されている電子回路が静電気を帯びたとしても、これら電子回路に多くの埃が付着することがない。即ち、埃の付着に起因して遊技機島１内やパチンコ機３の裏側に設置されている電子回路に不具合が生じる割合を低減できる。
【００６２】
又、上記実施形態では、発電装置２５，２６をサブオーバーフロー樋２４に設置したが、メインオーバーフロー樋２３や補給樋１０，１１、回収樋１６，１７など、遊技球が自重により流れる他の流下路に設置しても勿論良い。
ここで、発電装置２５、２６を回収樋１６，１７に設置する場合には、上記した空気清浄装置や上記したイオン発生装置を空間Ｓ３に設置すると良い（但し、補給樋１０，１１付近が望ましい。）。つまり、パチンコ機３から回収樋１６，１７に排出される遊技球の量が多い程、補給樋１０，１１を流れてパチンコ機３へ流下する遊技球の量も必然的に増え、補給樋１０，１１に静電気や埃が発生し易くなるという因果関係がある。このため、このように空気清浄装置やイオン発生装置を設置すれば、回収樋１６，１７における遊技球の流れによって、補給樋１０，１１に静電気や埃が発生する可能性の程度を把握できるため、必要以上に電力を消費せずとも補給樋１０，１１に発生する静電気もしくは埃を除去できる。
【００６３】
又、上記実施形態では、発電装置２５，２６の羽根車は、接線流羽根車からなっていたが、回転軸に沿って遊技球の流れを受ける軸流羽根車からなっていても良い。
この場合、羽根車は、遊技球の流れが有する圧力エネルギーによって回転するため、例えば、回収樋１６、１７のように落差が小さく遊技球の流れが緩やかな流下経路において電力を得るのに好適である。但し、遊技球が羽根車へ止め処なく流れている必要がある。
【００６４】
又、本実施形態では、発電装置２５、２６から得られる電力の大きさに応じて、イオン発生装置の稼働率（稼働数）を調整していたが、補給樋１０，１１の上流側に設けられたヒータ熱線や換気ファンの稼働率（稼働数）を調整するように設定されていても良い。
【００６５】
この場合、遊技機島１に設置されたパチンコ機３の使用率が低く、補給樋１０，１１に遊技球が滞留した結果、サブオーバーフロー樋２４に多くの遊技球が流下すると、発電装置２５，２６から得られる電力が大きくなり、又、それに伴って、ヒータ熱線や換気ファンの稼働率（稼働数）が増大する。一方、パチンコ機３の使用率が高まり、補給樋１０，１１に遊技球が滞留しなくなってくると、発電装置２５，２６から得られる電力が小さくなり、又、それに伴って、ヒータ熱線や換気ファンの稼働率（稼働数）が低減する。
【００６６】
即ち、遊技球が補給樋１０，１１に滞留し、水分が付着し易い状態にあるときに、ヒータ熱線や換気ファンの稼働率（稼働数）が増大され、遊技球が補給樋１０，１１を順調に流下し、水分が付着し難い状態であるときに、ヒータ熱線や換気ファンの稼働率（稼働数）が低減される。
【００６７】
従って、常に、補給樋１０，１１における遊技球の流れの効率に見合うようにヒータ熱線や換気ファンの稼働率（稼働数）が調整されるため、必要以上に電力を消費せずとも遊技球に付着する空気中の水分を除去できる。
又、上記実施形態では、本発明を完全独立還元方式の遊技機島に適用したが、例えば、複数の遊技機島の間で遊技球の授受を行う、所謂、島還元方式からなる遊技機島（例えば、特許第２７４８８９３号公報を参照。）などの他の方式の遊技機島に適用しても勿論良い。
【００６８】
尚、島還元方式の遊技機島に適用する場合には、例えば、各遊技機島への遊技球の供給源となると共に、各遊技球から回収された遊技球を貯留するベースタンクに本発明を適用すると良い。この場合、例えば、回収された遊技球が流下してくる部位に、遊技球の流れを受けて発電する発電装置を設置し、当該ベースタンク内にイオン発生装置や空気清浄装置を設置すれば、必要以上に電力を消費せずとも当該ベースタンクに流れ込む遊技球の量に見合うように静電気や埃を除去できる。
【００６９】
又、上記実施形態では、遊技機島１は、発電装置２５から得られる電力を用いてイオン発生装置を稼働させていたが、外部から遊技機島１に供給される電力（例えば、商用電力）を取り込むように送電装置３０の充電部３２０を構成し、外部から得られる電力を用いてイオン発生装置を稼働させても良い。又は、発電装置２５と外部との双方から電力を取り込むように充電部３２０を構成し、発電装置２５と外部との双方から得られる電力を用いてイオン発生装置を稼働させても良い。
【００７０】
又、上記実施形態では、電力生成装置２５６の発電機２５５は、単相からなる交流電力を発生していたが、多相（例えば、三相）からなる交流電力を発生するように構成されていても良い。
【図面の簡単な説明】
【図１】発電装置２５の外観を示す斜視図である。
【図２】図１における上方から発電装置２５を見下ろした場合の発電装置２５の内部構造図である。
【図３】図１における矢視Ａから見た場合の発電装置２５の透視図である。
【図４】送電装置３０の機能ブロック図である。
【図５】本発明に係る遊技機島１の外観を示す正面図である。
【図６】本発明に係る遊技機島１の内部構造図である。
【図７】サブオーバーフロー樋２４における発電装置２５，２６の設置状態を示す説明図である。
【符号の説明】
１…遊技機島、２…本体、３…パチンコ機、４…計数器、５…上部タンク、６…トップランプ、７…横桟、８…縦桟、９…呼出ランプ、１０，１１…補給樋、１２…電源ボックス、１３，１４…変圧器、１６，１７…回収樋、１８…メイン貯留タンク、１９…サブ貯留タンク、２１…揚送装置、２２…分岐箱、２３…メインオーバーフロー樋、２４…サブオーバーフロー樋、２５，２６…発電装置、３０…送電装置、２５１…流路部、２５２，２５３…腕部、２５４…ギアボックス、２５５…発電機、２５６…電力生成装置、２５７…機構収納部、２５８，２５９…羽根車、２６０，２６１，２６６…回転軸、２６２，２６３…プーリ、２６４，２６５…歯車、２６７…無端ベルト、２７０，２７１…リード線、３１０…コンバータ、３２０…充電部、３３０…周波数検出部、３４０…インバータ。
【図１】
2004255034.tif 000003
【図２】
2004255034.tif 000004
【図３】
2004255034.tif 000005
【図４】
2004255034.tif 000006
【図５】
2004255034.tif 000007
【図６】
2004255034.tif 000008
【図７】
2004255034.tif 000009